(57)【要約】【課題】工場や住宅の傾斜屋根裏の温度を夏は低下させ冷房費を削減し、冬は日中の二重屋根で発生した暖気を建物内部に導入して暖房効率を向上させ、合せて劣化スレート屋根のアスベスト粉塵飛散防止を行う。【解決手段】傾斜屋根の構造を二重構造とし、中を流れる自然上昇気流を屋根上部の棟に集め、夏季は棟に設置したファンで外部に放出して冷房効果を高め、冬季は建物内部に導入して暖房効率を高めて、電気の使用量を削減する。棟に設置したファンの動力源に太陽電池等の自然循環型無公害エコ動力で発生させた電気を使用すると一層の節電効果が期待できる。特に工場等の大消費電力を削減できる。又一層目屋根がスレートの場合上部を紫外線に弱い比較的安価な断熱シートで被服することにより、古い工場の既設スレート屋根の劣化によるアスベスト等の粉塵飛散防止と同時に断熱効果をより一層向上させることが出来る。【選択図】図１
2008291531.tif 000002
【特許請求の範囲】
【請求項１】
傾斜屋根の構造を二重構造とし、中を流れる自然上昇気流を屋根上部の棟に集め、夏季は棟に設置したファンで外部に放出して冷房効果を高めることが出来る。冬季は建物内部に導入して暖房効果を高めて、暖房電気の使用量を削減する。棟に設置したファンの動力源に太陽電池等の自然循環型無公害エコ動力で発生させた電気を使用すると一層の節電効果が期待できる。特に工場等の大消費電力を削減できる。この時太陽電池で直流モーター式のファンを使用すれば、夏の日中換気がしたいときに作動し、夕方日没になれば自然に停止するのでスイッチ等の部品も必要ない。又、一層目屋根がスレートの場合上部を紫外線に弱い比較的安価な断熱シートで被服することにより、古い工場の既設スレート屋根の劣化によるアスベスト等の粉塵飛散防止と同時に断熱効果をより一層向上させることも出来る。
【発明の詳細な説明】
【技術分野】
【０００１】
本考案は、二重傾斜屋根構造の棟に太陽電池等の自然循環型無公害エコ動力等を動力源とするファンを設置し、夏は二重構造で発生した熱気を排出し、冬は暖気を屋内に導入して冷暖房効果を高め、電気の使用量を減らすことで化石燃料の燃焼削減に寄与し、地球全体のＣＯ２の排出量削減を目指す。
【背景技術】
【０００２】
地球温暖化現象が進行し真夏の日中のピーク電力量が年々増大し、冷房に使用する電気量が不足する。それを補うため化石燃料燃焼エネルギーにたより、ＣＯ２の排出量が増大の一途である。
【０００３】
既設の工場のスレート傾斜屋根改修には多額の廃棄費用と新設屋根の設置費用が発生する。
【０００４】
傾斜屋根の改修工事期間中に工場の生産ラインを停止させる必要性が発生する。
【０００５】
古い工場のスレート傾斜屋根の劣化によりアスベスト等の粉塵の大量飛散による大気汚染が発生する。
【発明の開示】
【発明が解決しようとする課題】
【０００６】
工場や住宅の傾斜屋根裏の温度を夏は低下させ冷房費を削減し、冬は日中の二重屋根で発生した暖気を建物内部に導入して暖房効率を向上させ、合せて劣化スレート屋根のアスベスト粉塵飛散防止を行う。
【課題を解決するための手段】
【０００７】
本考案は、新築はもちろんのこと既設の工場や住宅の傾斜屋根を二重構造とし空気の断熱層をつくり、二層目は軽量耐腐食性金属板等とし、夏は一層目と二層目間に発生する空気の自然対流か太陽電池等の自然循環型無公害エコ動力等を動力源とするファンの稼動により高温の空気を棟に設置した間隙から大気中に放出し、冬は暖かくなった空気をファンで屋内に導入する。また一層目がスレートの場合上部表面を断熱シートで被服することにより古い工場のスレート屋根の劣化によるアスベスト等の粉塵飛散防止と同時に断熱効果をより一層向上させることが出来る。
【発明の効果】
【０００８】
真夏の日中の平屋の床面付近の温度をエアコンを使用せずに４℃〜６℃低下させることが出来、冬は日中の平屋の床面付近の温度を２℃〜３℃上げることが出来ると同時に、古い工場のスレート屋根の劣化によるアスベスト等の粉塵飛散防止が出来る。
【発明を実施するための最良の形態】
【０００９】
屋根は傾斜屋根で、特に古い工場等の既設の屋根材がスレートの場合は効果が出やすく、スレートを撤去する廃棄費用の必要が無く、工場の稼動を停止させずに設置できる経済効果は大きい。また一層目となるスレートの上部表面を断熱シートで被服することにより古い工場のスレート屋根の劣化によるアスベスト等の粉塵飛散防止と同時に断熱効果をより一層向上させることが出来る。
【実施例１】
【００１０】
工場や住宅の傾斜屋根を二重構造とし空気の断熱層をつくり、二層目は軽量耐腐食性金属板等とし、夏は一層目と二層目間に発生する空気の自然対流か太陽電池等の自然循環型無公害エコ動力等を動力源とするファンの稼動により高温の空気を棟に設置した間隙から大気中に放出し真夏の日中のピーク電力量を減らすことが出来る。冬は暖かくなった空気をファンで屋内に導入し暖房効率を高め、さらに一層目屋根がスレートの場合表面を断熱シートで被服することにより、スレート屋根の劣化によるアスベスト等の粉塵飛散防止と同時に断熱効果をより一層向上させることが出来る。図１は、本考案装置の（実施例１）の断面図であって、図２は従来の屋根構造の断面図である。図３は自然対流冷房費削減型（実施例２）の断面図である。図４は太陽電池なしファン稼動冷暖房費削減型（実施例３）の断面図である。
【実施例２】
【００１１】
工場や住宅の傾斜屋根を二重構造とし空気の断熱層をつくり、二層目は軽量耐腐食性金属板等とし、夏は一層目と二層目間に発生する空気の自然対流だけで熱気を大気中に放出し屋内屋根下部の温度を低下させて冷房費を削減し、真夏の日中のピーク電力量を減らすことが出来るのと、一層目屋根がスレートの場合表面を断熱シートで被服することにより、スレート屋根の劣化によるアスベスト等の粉塵飛散防止と同時に断熱効果をより一層向上させることが出来る。
【実施例３】
【００１２】
工場や住宅の傾斜屋根を二重構造とし空気の断熱層をつくり、二層目は軽量耐腐食性金属板等とし、夏は一層目と二層目間に発生する空気の自然対流をファンの稼動により熱気を大気中に放出し屋内屋根下部の温度を低下させて冷房費を削減し、真夏の日中のピーク電力量を減らすことが出来る。冬は暖かくなった空気をファンで屋内に導入し暖房効率を高められる。一層目となる屋根がスレートの場合表面を断熱シートで被服することにより、スレート屋根の劣化によるアスベスト等の粉塵飛散防止と同時に断熱効果をより一層向上させることが出来る。
【産業上の利用可能性】
【００１３】
古い工場等の既設の傾斜屋根材がスレートの場合は効果が出やすく、スレートを撤去する廃棄費用の必要が無く、工場の稼動を停止させずに設置できる経済効果は大きい。また一層目となるスレートの上部表面を断熱シートで被服することにより、古い工場のスレート屋根の劣化によるアスベスト等の粉塵飛散防止と同時に断熱効果をより一層向上させることが出来る。
【図面の簡単な説明】
【００１４】
【図１】本考案装置の実施方法を示した説明図である。
【図２】従来の傾斜屋根構造の説明図である。
【図３】自然対流型冷房費削減の説明図である。（実施例２）
【図４】ファン設置対流型冷暖房費削減の説明図である。（実施例３）
【符号の説明】
【００１５】
１    一層目屋根
２    二層目屋根
３    断熱シート
４    夏用ファン
５    冬用ファン
６    夏・冬外気切替シャッター
７    屋根固定金具
８    棟カバー
９    ファン電源用ソーラー発電パネル
【図１】
2008291531.tif 000003
【図２】
2008291531.tif 000004
【図３】
2008291531.tif 000005
【図４】
2008291531.tif 000006